【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
モバイルデバイスを使用する方法であって、
前記モバイルデバイスのマイクロホンから受信された音響情報をマイクロホン信号に変換することと、
前記マイクロホン信号から音圧レベルを測定することと、
前記測定された音圧レベルと、前記測定された音圧レベルに関連付けられた時間情報および地理的情報とを含むメタデータを生成することと、
前記モバイルデバイスから遠隔にあるデータベースに、前記時間情報および前記地理的情報を有する前記生成されたメタデータを送信することと
を含む、モバイルデバイスを使用する方法。
【請求項２】
前記測定された音圧レベルを調整することにより、前記マイクロホンの指向性パターン、前記マイクロホンのポーティング、前記マイクロホンの感度、前記モバイルデバイスの形状、または前記モバイルデバイスの増幅器利得のうちの少なくとも１つを補償することをさらに含む、請求項１に記載のモバイルデバイスを使用する方法。
【請求項３】
前記データベースに送信された前記メタデータに基づいて、領域の音響マップを受信することをさらに含み、前記音響マップは、前記領域内の位置に関連付けられた音響信号の表示を含む、請求項１に記載のモバイルデバイスを使用する方法。
【請求項４】
前記モバイルデバイス上に前記音響マップを提示することをさらに含む、請求項３に記載のモバイルデバイスを使用する方法。
【請求項５】
前記方法は、前記音圧レベルの前記測定の前に、前記モバイルデバイス内のオーディオ処理回路を迂回するように、前記マイクロホン信号のためのバイパス信号経路を提供することをさらに含む、請求項１に記載のモバイルデバイスを使用する方法。
【請求項６】
前記方法は、前記音圧レベルを測定する場合に、前記モバイルデバイス内の自動利得制御回路および等化回路のうちの少なくとも１つを無効にすることをさらに含む、請求項１に記載のモバイルデバイスを使用する方法。
【請求項７】
トリガイベントを受信することをさらに含み、前記音圧レベルは、前記トリガイベントに応答して測定され、前記トリガイベントは、音シグネチャの検出、前記音シグネチャの持続時間の検出、時間ウィンドウの検出、地理的位置の検出、または所定の音圧レベルの検出のうちの少なくとも１つを含む、請求項１に記載のモバイルデバイスを使用する方法。
【請求項８】
音圧レベル測定システムであって、
モバイルデバイス
を含み、
前記モバイルデバイスは、
音響情報を受信し、かつ前記音響情報をマイクロホン信号に変換するように構成されたマイクロホンと、
前記マイクロホンに動作可能に連結され、かつ前記マイクロホン信号から音圧レベルを測定するように構成された音圧レベル測定回路と、
前記マイクロホンおよび前記音圧レベル測定回路に動作可能に連結されたプロセッサであって、前記プロセッサは、前記測定された音圧レベルと、前記測定された音圧レベルに関連付けられた時間情報および地理的情報とを含むメタデータを生成するように構成されている、プロセッサと、
前記プロセッサに動作可能に連結され、かつ前記モバイルデバイスから遠隔にあるデータベースに、前記時間情報および前記地理的情報を有する前記生成されたメタデータを送信するように構成されているデータ通信システムと
を含む、音圧レベル測定システム。
【請求項９】
前記モバイルデバイスは、サーバおよび前記データベースに動作可能に連結された複数のモバイルデバイスのうちの１つであり、前記複数のモバイルデバイスのそれぞれは、対応する生成されたメタデータを前記サーバを介して前記データベースに送信し、前記サーバおよび前記データベースは、前記複数のモバイルデバイスによって送信された前記メタデータに基づいて、領域に対する音響マップを生成するように構成されており、前記音響マップは、前記領域内の位置に関連付けられた音響信号の表示を含む、請求項８に記載の音圧レベル測定システム。
【請求項１０】
前記マイクロホンは、前記音圧レベルが前記モバイルデバイスを包囲する周囲環境から測定されるように、前記モバイルデバイスの筺体の外側に位置付けられるように構成されている、請求項８に記載の音圧レベル測定システム。
【請求項１１】
前記マイクロホンは、それぞれの複数のマイクロホン信号を有する複数のマイクロホンを含み、前記音圧レベル測定回路は、前記複数のマイクロホン信号から平均音圧レベルを測定するように構成されている、請求項８に記載の音圧レベル測定システム。
【請求項１２】
前記データ通信システムは、無線周波数通信ネットワークまたは無線ローカルエリアネットワークのうちの少なくとも１つを介して、前記生成されたメタデータを前記データベースに送信する、請求項８に記載の音圧レベル測定システム。
【請求項１３】
前記モバイルデバイスは、
前記マイクロホン信号を修正するための前記マイクロホンに連結されたオーディオ処理回路
をさらに含み、
前記プロセッサは、前記少なくとも１つの音圧レベルが測定される場合に、前記オーディオ処理回路を迂回するか、または無効にするように構成されている、請求項８に記載の音圧レベル測定システム。
【請求項１４】
前記音圧レベル測定回路は、前記マイクロホンの指向性パターン、前記マイクロホンのポーティング、前記マイクロホンの感度、前記モバイルデバイスの形状、または前記モバイルデバイスの増幅器利得のうちの少なくとも１つを補償するように構成されている、請求項８に記載の音圧レベル測定システム。
【請求項１５】
前記少なくとも１つの音圧レベルは、トリガイベントに応答して、前記音圧レベル測定回路によって測定され、前記トリガイベントは、音シグネチャの検出、前記音シグネチャの持続時間の検出、時間ウィンドウの検出、地理的位置の検出、または所定の音圧レベルの検出のうちの少なくとも１つを含む、請求項８に記載の音圧レベル測定システム。
【手続補正２】
【補正対象書類名】明細書
【補正対象項目名】０００８
【補正方法】変更
【補正の内容】
【０００８】
本発明の実施形態は、モバイルデバイスを使用して、ネットワーク上で、音を監視、測定、報告、および提供するための、方法およびシステムを対象とする。音報告は、音レベルを時間および場所と関連付けて生成することができる。音報告は、次いで、他のネットワークユーザと共有することができる。
例えば、本発明は、以下を提供する。
（項目１）
モバイルデバイスのマイクロホンから音響情報を受信するステップと、
該音響情報に対応する該マイクロホンからの信号を、デジタル信号に変換するステップと、
該音響情報のオーディオ処理を構成するステップと、
該デジタル信号から音圧レベルを計算するステップと、
該音圧レベル測定がいつどこで行われたのかを識別するための時間情報および地理的情報を含む、該音圧レベルに対応するメタデータを提供するステップと
を含む、モバイルデバイスを使用する方法。
（項目２）
マイクロホン指向性パターンの効果を補償するように、上記音圧レベルの計算を調整するステップをさらに含む、項目１に記載のモバイルデバイスを使用する方法。
（項目３）
マイクロホンポートの効果を補償するように、上記音圧の計算を調整するステップをさらに含む、項目１に記載のモバイルデバイスを使用する方法。
（項目４）
増幅器利得を考慮するように、上記音圧の計算を調整するステップをさらに含む、項目１に記載のモバイルデバイスを使用する方法。
（項目５）
上記オーディオ処理を構成するステップは、上記モバイルデバイスの中のオーディオ処理回路を迂回して、上記音響情報のためのバイパス信号経路を提供するステップをさらに含む、項目１に記載のモバイルデバイスを使用する方法。
（項目６）
上記オーディオ処理を構成するステップは、音圧レベルを測定する場合に、自動利得制御回路を無効にするステップをさらに含む、項目１に記載のモバイルデバイスを使用する方法。
（項目７）
上記オーディオ処理を構成するステップは、音圧レベルを測定する場合に、等化回路を無効にするステップをさらに含む、項目１に記載のモバイルデバイスを使用する方法。
（項目８）
上記音圧レベルおよびメタデータを、音響情報を収集するためのデータベースに送信するステップをさらに含む、項目１に記載のモバイルデバイスを使用する方法。
（項目９）
データベースに提供するための音圧レベル測定をそれぞれが有する、複数のモバイルデバイスと、
該複数のモバイルデバイスが該データベースに連結するための通信経路であって、モバイルデバイスは、該データベースへの通信経路を開き、該音圧レベル測定を該データベースにアップロードする、通信経路と
を備える、音圧レベル測定システム。
（項目１０）
上記通信経路は、上記複数のモバイルデバイスを上記データベースに連結するための少なくとも１つの基地受信機を有する無線周波数通信ネットワークを備える、項目９に記載の音圧レベル測定システム。
（項目１１）
上記通信経路は、音圧レベル測定を上記データベースに提供するために、１つ以上の該音圧レベル測定を有するモバイルデバイスを該データベースに連結する無線ローカルエリアネットワークを備える、項目９に記載の音圧レベル測定システム。
（項目１２）
上記通信経路は、音圧レベル測定を上記データベースに提供するために、１つ以上の該音圧レベル測定を有するモバイルデバイスを該データベースに連結する有線または光ファイバ経路を備える、項目９に記載の音圧レベル測定システム。
（項目１３）
上記複数のモバイルデバイスは、音圧レベルを自動的に測定し、メタデータは、各音圧レベル測定と提供され、いつどこで該測定が行われたのかに関する時間情報および地理的位置情報を含む、項目９に記載の音圧レベル測定システム。
（項目１４）
上記モバイルデバイスは、トリガイベントが生じると、音圧レベルを測定して、上記データベースに送信する、項目１３に記載の音圧レベル測定システム。
（項目１５）
上記モバイルデバイスは、音圧レベルを測定して、メモリに記憶し、音圧レベルの待ち行列は、通信経路が開かれた時に上記データベースにアップロードされるように、該モバイルデバイスのメモリに記憶される、項目１３に記載の音圧レベル測定システム。
（項目１６）
マイクロホンと、
該マイクロホンに連結されるオーディオ処理回路と、
該オーディオ処理回路およびマイクロホンに対して動作可能に構成されるプロセッサであって、該オーディオ処理回路は、音圧レベル測定を行う場合にバイパスされる、プロセッサと
を備える、音圧レベルを測定するためのモバイルデバイス。
（項目１７）
上記マイクロホンは、周囲環境から音圧レベルを測定する場合に、上記デバイスの筐体の外側に位置付けられることができる、項目１６に記載のモバイルデバイス。
（項目１８）
上記マイクロホンは、音圧レベル測定のために上記デバイスの筐体から離れて該マイクロホンを位置付けるブームマイクロホンである、項目１６に記載のモバイルデバイス。
（項目１９）
上記マイクロホンは、無指向性マイクロホンである、項目１６に記載のモバイルデバイス。
（項目２０）
上記モバイルデバイスは、２つ以上のマイクロホンを有する、項目１６に記載のモバイルデバイス。
（項目２１）
音圧レベル測定が行われた時の時間情報を提供するクロックと、
該音圧レベル測定が行われた時の地理的位置情報を提供するＧＰＳ受信機であって、該時間情報および該地理的位置情報は、該音圧レベル測定と共に提供される、ＧＰＳ受信機と
をさらに含む、項目１６に記載のモバイルデバイス。
（項目２２）
上記マイクロホンからの信号は、音圧レベルを測定するための回路に連結され、上記プロセッサは、音圧レベル測定を受信するために動作可能に構成され、該プロセッサは、該音圧レベルをデータベースに送信するためのデータ通信システムに対して動作可能に構成される、項目１６に記載のモバイルデバイス。
（項目２３）
上記プロセッサは、上記オーディオ処理回路を無効にし、上記マイクロホンからの信号は、デジタル信号に変換され、該デジタル信号は、上記音圧レベルを計算する上記プロセッサに連結され、該プロセッサは、該音圧レベルをデータベースに送信するためのデータ通信システムに対して動作可能に構成される、項目１６に記載のモバイルデバイス。